(57)【要約】【課題】保護層転写シートを用いて保護層を転写した際に、保護層転写後の保護層転写シートから個人情報が漏洩することを防止できる、保護層転写方法を提供すること。【解決手段】保護層転写シートから被転写体に保護層を転写する保護層転写方法において、熱溶融型インクリボンを用いて形成された印画部を有する被転写体上に保護層を転写する保護層転写工程において、サーマルヘッドから印加するエネルギーを変化させながら保護層を転写する。【選択図】図１
2017177439.tif 000002
【特許請求の範囲】
【請求項１】
保護層転写シートから被転写体に保護層を転写する保護層転写方法であって、
熱溶融型インクリボンを用いて形成された印画部を有する被転写体上に保護層を転写する保護層転写工程を有し、
当該保護層転写工程においては、サーマルヘッドから印加するエネルギーを変化させながら保護層を転写することを特徴とする保護層転写方法。
【発明の詳細な説明】
【技術分野】
【０００１】
本発明は、保護層の転写方法に関する。
【背景技術】
【０００２】
インクリボンに印画ヘッドを当接し、熱転写により印刷を行う熱転写型のプリンタは、種々の用途に用いられ、例えば、特許文献１に記載のようにいわゆるプリクラ（登録商標)などのプリントシール機による写真の印刷に用いられている。
【０００３】
ところで、近年、個人情報の保護が重視される中、上記のようなプリントシール機においても、個人情報の漏洩に関する問題が発生している。すなわち、熱転写がなされた後のインクリボン、いわゆる抜け殻には、印刷に係る情報が残存するため、このインクリボンを不用意に廃棄すると、第三者に個人情報が漏洩してしまうという問題である。この問題は、プリントシール機に限られず、インクリボンに情報が残る熱転写型のプリンタに共通する問題であり、その解決が要望されている。
【０００４】
本願出願人は、以前からこの問題の解決に取り組んでおり、例えば特許文献２に記載するような技術を開発している。
【先行技術文献】
【特許文献】
【０００５】
【特許文献１】特開２０００−１１８０７７号公報
【特許文献２】特開２００８−１２６５１０号公報
【発明の概要】
【発明が解決しようとする課題】
【０００６】
本願発明者は、上記のように熱転写がなされた後のインクリボンに個人情報が残存する問題の解決に取り組んでいる最中、新たな課題を見出した。すなわち、熱転写後に個人情報が残存する、いわゆる抜け殻の問題はインクリボンのみならず、保護層転写シートにも生じる問題であるという課題である。
【０００７】
図２は、従来から行われている被転写体に保護層を転写する工程を示す概略断面図である。
【０００８】
図２に示すように、従来から、熱溶融型インクリボンを用いて形成された印画部２１を有する被転写体２０上に、保護層転写シート３０を用いて保護層３１を転写することが行われている。例えば、被転写体２０が各種カードなどの場合、個人名や住所などの個人情報が熱溶融型インクリボンによって印画され、その後に保護層が転写されることが多い。このような場合、図２（ｂ）に示すように、保護層３１が転写された後の保護層転写シート３０には、被転写体２０に形成されている印画部２１と対応する凹部３２が残存し、この凹部３２から個人情報が漏洩してしまうおそれがあることが分かった。これは、図２（ａ）に示すように、保護層３１を転写する際には、ヒートロール４０を保護層転写シート３０の基材側から押し当てるが、この際に熱溶融型インクリボンによって印画された印画部は凸形状を有しているため、この凸形状が保護層転写シート３０の基材側に型押しされてしまうことに起因していると考えられる。
【０００９】
本願発明は、このような知見に基づきなされたものであり、保護層転写シートを用いて保護層を転写した際に、保護層転写後の保護層転写シートから個人情報が漏洩することを防止できる、保護層転写方法を提供することを主たる課題とする。
【課題を解決するための手段】
【００１０】
上記課題を解決するための本発明は、保護層転写シートから被転写体に保護層を転写する保護層転写方法であって、熱溶融型インクリボンを用いて形成された印画部を有する被転写体上に保護層を転写する保護層転写工程を有し、当該保護層転写工程においては、サーマルヘッドから印加するエネルギーを変化させながら保護層を転写することを特徴とする。
【発明の効果】
【００１１】
本発明の保護層転写方法によれば、保護層転写シートから保護層を転写するにあたりサーマルヘッドを用い、かつ当該サーマルヘッドから印加するエネルギーを変化させながら保護層を転写するので、保護層転写シートの基材側に意図的に凹部を形成することができ、当該凹部により、保護層転写シートに型押しされた個人情報を攪乱せしめ、当該個人情報を判読不能とすることができ、よって個人情報が漏洩することを防止することができる。
【図面の簡単な説明】
【００１２】
【図１】本実施形態にかかる保護層転写工程を示す概略断面図である。
【図２】従来から行われている被転写体に保護層を転写する工程を示す概略断面図である。
【発明を実施するための形態】
【００１３】
以下に、図面を用いて本発明の実施形態にかかる保護層転写方法について説明する。
【００１４】
図１は、本実施形態にかかる保護層転写工程を示す概略断面図である。
【００１５】
図１に示すように、本実施形態にかかる保護層転写方法は、保護層転写シート１０から被転写体２０に保護層１１を転写する保護層転写方法であって、熱溶融型インクリボンを用いて形成された印画部２１を有する被転写体２０上に保護層１１を転写する保護層転写工程において、サーマルヘッド５０を用い、当該サーマルヘッド５０から印加するエネルギーを変化させながら保護層１１を転写することに特徴を有している。
【００１６】
当該方法によれば、図１（ｂ）に示すように、保護層１１が転写された後の保護層転写シート１０の、保護層１１が設けられた側（図１（ｂ）では下側）の表面には、熱溶融型インクリボンによって印画された印画部２１に対応する凹部１２が残存しているものの、その裏面側、つまりサーマルヘッドが当接される側の表面には、サーマルヘッドから印加されるエネルギーの大小に起因して意図的に形成された凹凸１３が存在することとなり、当該凹凸１３によって、印画部２１に対応する凹部１２が攪乱され、当該凹部１２から情報が漏洩することを防止することができる。
【００１７】
より具体的には、たとえば保護層転写シート１０から被転写体２０に保護層１１を転写するのに必要なエネルギーを１００とした場合、本実施形態においては、サーマルヘッドから印加するエネルギーを１００のみならず１２０と１００とを繰り返すように変化させる。これにより、保護層転写シート１０においてサーマルヘッドと当接する表面であって、１２０のエネルギーが印加された部分は、１００のエネルギーが印加された部分に比べて過剰なエネルギーが印加されることとなるので、当該部分は凹形状となる。そして、これが繰り返されることにより、保護層転写シート１０におけるサーマルヘッドと当接する表面に攪乱用の凹凸１３が形成される。
【００１８】
また一方で、たとえば保護層転写シート１０から被転写体２０に保護層１１を転写するのに必要なエネルギーを１００とした場合、敢えて１２０のエネルギーを印加することにより保護層１１を転写しつつ、所定のタイミングで印加するエネルギーを１００とすることにより、前記とは逆に、当該１００のエネルギーを印加された部分を凸形状とすることも可能であり、結果として攪乱用の凹凸１３が形成される。
【００１９】
本実施形態にかかる保護層転写方法において、サーマルヘッドを用い、印加するエネルギーを変化させることにより形成される攪乱用の凹凸１３の模様については特に限定されることはなく、カタカナやアルファベットなどの文字をランダムに配列した模様としてもよく、一方で市松模様な千鳥模様などの幾何学的な模様としてもよい。
【００２０】
また、本実施形態にかかる保護層転写方法においては、保護層１１を転写している間、常にサーマルヘッドから印加されるエネルギーを変化させることで、保護層転写シートの全体にわたって攪乱用の凹凸１３を形成してもよく、一方で、印画部２１に対応する凹部１２が形成されている部分、換言すれば、熱溶融型インクリボンによって印画部２１が形成されている部分に対応する保護層を転写するタイミングのみにおいてサーマルヘッドから印加されるエネルギーを変化させてもよい。
【００２１】
ここで、本実施形態にかかる保護層転写方法において用いられる保護層転写シート１０については特に限定されることはなく、従来公知の保護層転写シートを適宜選択して用いることができる。図１においては、基材上に保護層１１が直接積層された保護層転写シート１０を用いて説明したが、これに限定されることはなく、例えば基材と保護層１１との間に離型層が形成されている保護層転写シートであってもよい。
【００２２】
本実施形態にかかる保護層転写方法において用いられる保護層転写シート１０における保護層１１の厚みについても特に限定されることはないが、転写性と画像の保護性能を考慮すると、１μｍ以上５０μｍ以下が好ましい。厚み１μｍ未満では保護層としての機能が不足し、また５０μｍより厚い保護層は、サーマルヘッドでの転写が困難となる。
【００２３】
また、保護層転写シート１０の基材の厚みについても特に限定されることはないが、本方式での個人情報攪乱効果を考慮すると、３μｍ以上５０μｍ以下が好ましい。厚み３μｍ未満では保護層の支持性が不足し、また５０μｍより厚い基材は、サーマルヘッドでの攪乱用の凹凸１３を形成した場合に、その攪乱効果が十分に発揮しにくくなる。
【００２４】
また、本実施形態にかかる保護層転写方法において用いられるサーマルヘッド５０についても特に限定されることはなく、印加するエネルギーを変化することができるサーマルヘッドであればいかなるものでも使用可能である。
【００２５】
また、本実施形態にかかる保護層転写方法において、保護層が転写される被転写体２０についても特に限定されることはなく、熱溶融型インクリボンを用いて形成された印画部２１を有する被転写体２０であればいかなるものであってもよい。したがって、図示はしないが、受容層を有し、当該受容層中に昇華型インクリボンを用いて形成された別の印画部が設けられていてもよい。
【符号の説明】
【００２６】
１０、３０…保護層転写シート
１１、３１…保護層
２０…被転写体
２１…印画部
５０…サーマルヘッド
【図１】
2017177439.tif 000003
【図２】
2017177439.tif 000004